(57)【要約】【課題】記憶媒体との非接触通信と、記憶媒体の鮮明な撮像とを両立できるアンテナ内蔵型撮像装置を提供すること。【解決手段】アンテナ内蔵型撮像装置である薄型スキャナ１に、ＮＦＣカード１００の画像を読み取ることができる画像読取部１０と、画像読取部１０を支持する金属性の筐体７と、ＮＦＣカード１００との間で通信可能なアンテナパターン４１を有すると共に、画像読取部１０におけるＮＦＣカード１００の画像を読み取る側の面の反対側に画像読取部１０の全面を覆って筐体７に内設されるＮＦＣアンテナ４０と、磁性力を有すると共に、ＮＦＣアンテナ４０における画像読取部１０側の面の反対側に画像読取部１０の全面を覆って筐体７に内設される磁性シート５０と、を備える。【選択図】図４
2011193349.tif 000002
【特許請求の範囲】
【請求項１】
記憶媒体の画像を読み取ることができる画像読取部と、
前記画像読取部を支持する金属性の筐体と、
前記記憶媒体との間で通信可能なアンテナパターンを有すると共に、前記画像読取部における前記記憶媒体の画像を読み取る側の面の反対側に前記画像読取部の全面を覆って前記筐体に内設されるアンテナと、
磁性力を有すると共に、前記アンテナにおける前記画像読取部側の面の反対側に前記画像読取部の全面を覆って前記筐体に内設される磁性体と、
を備えることを特徴とするアンテナ内蔵型撮像装置。
【請求項２】
前記画像読取部は、前記記憶媒体の画像を読み取る側の面の反対側に前記記憶媒体を照射する照射光を発光するバックライトが配設されていることを特徴とする請求項１に記載のアンテナ内蔵型撮像装置。
【請求項３】
前記アンテナのアンテナパターンは、前記記憶媒体内のアンテナパターンと正対していることを特徴とする請求項１または２に記載のアンテナ内蔵型撮像装置。
【請求項４】
さらに、ヒンジによって相対的に開閉可能に設けられた第１本体部と第２本体部とを有すると共に、前記第１本体部と前記第２本体部とには、双方を閉じた際に互いに対向するそれぞれの面に前記画像読取部が設けられており、
前記記憶媒体の画像を読み取る際には、前記第１本体部と前記第２本体部とを閉じることにより前記第１本体部と前記第２本体部との間に前記記憶媒体を挟み込み、双方に設けられた前記画像読取部により前記記憶媒体の両面の画像を読み取ることが可能に設けられていることを特徴とする請求項１〜３のいずれか１項に記載のアンテナ内蔵型撮像装置。
【請求項５】
前記アンテナは、前記第１本体部と前記第２本体部とのいずれか一方に内設されており、
さらに、前記記憶媒体と前記アンテナとの間の通信の制御を行う通信制御部を有しており、
前記通信制御部は、前記記憶媒体と前記アンテナとの間の通信を開始する場合には、前記第１本体部と前記第２本体部との相対的な位置関係が所定の位置関係であることを検出してから開始することを特徴とする請求項４に記載のアンテナ内蔵型撮像装置。
【請求項６】
前記第１本体部と前記第２本体部との相対的な位置関係が所定の位置関係ではない場合での通信を行う場合、前記記憶媒体と前記アンテナとの間の通信の制御を行う通信制御部のインピーダンスを、前記アンテナのインピーダンスに整合できるように切り替え、通信を開始することを特徴とする請求項４または５に記載のアンテナ内蔵型撮像装置。
【発明の詳細な説明】
【技術分野】
【０００１】
本発明は、アンテナ内蔵型撮像装置に関する。
【背景技術】
【０００２】
近年、記憶媒体に記憶された情報の読み取りや書き込みを行う際に、この読み書きを行う際の利便性を考慮して、非接触で読み書きを行うことができる記憶媒体や装置が増加している。また、このような非接触で読み書きを行う装置の中には、この読み書きを行う機能と、その他の機能も備えて、使用時の利便性を図ったり、複数の機能を１つの装置に設けることにより装置の小型化を図ったりしているものがある。
【０００３】
例えば、特許文献１に記載された液晶表示機能付リーダライタ装置では、非接触で情報の読み書きを行うことのできる非接触情報記録媒体である非接触ＩＣカードとの間で電磁波を利用して情報の送受信を行うことができるアンテナと、各種の情報を表示する液晶パネルとを備えており、さらに、アンテナの液晶パネルが設けられている側とは反対側には、磁性体が配設され、また、液晶パネルを制御する液晶制御回路は、アンテナ及び磁性体を挟んで液晶パネルが設けられる側とは反対側に配設されている。このように磁性体を備えて、各機器をこれらのように配設することにより、ＩＣカードとアンテナとの間で送受信を行う際に影響を与える液晶制御回路を設けた場合でも、ＩＣカードとアンテナとの間での送受信を良好に行うことができる。
【先行技術文献】
【特許文献】
【０００４】
【特許文献１】特許第４１０４６３０号公報
【発明の概要】
【発明が解決しようとする課題】
【０００５】
非接触で記憶媒体との間で送受信を行う場合には、特許文献１に記載された液晶表示機能付リーダライタ装置のようにアンテナが必要になるが、近年のこのような装置は小型化が求められる場合が多くなっており、アンテナを装置内に設ける場合、他の機器に近接した状態で設けられる場合が多くなっている。他方、このように非接触で記憶媒体との間で送受信を行う装置で、この機能と併用して備えられる機能としては、記憶媒体の画像を読み取り、撮像を行う機能が考えられる。また、非接触で記憶媒体との間で送受信を行う場合において、記憶媒体として上述したＩＣカードを用いる場合には、双方を近接させて送受信を行う。
【０００６】
このため、記憶媒体との送受信の機能と、記憶媒体の撮像の機能とを併設する場合において、記憶媒体の撮像を行う場合には、撮像装置に記憶媒体を近接させて行うことになるが、このような撮像装置の場合、特許文献１に記載された液晶表示機能付リーダライタ装置で用いられている液晶パネルのように、表示画像を人の目で視認するのとは異なり、電気信号によって処理をする。このように、撮像した画像を電気信号として処理をする場合には、僅かな光量の変化も数値として現れるため、画像を読み取る部分は、可能な限り平坦であるのが好ましく、例えば、画像を読み取る部分に、液晶パネルと同様にバックライトの導光板や反射板を設けた場合、これらは可能な限り平坦であるのが好ましい。しかし、アンテナを装置内に設けて、このバックライトに近接した状態で配設した場合、導光板等に歪みが発生して光量が変化してしまう場合があり、撮像した画像が不鮮明になる場合があった。
【０００７】
本発明は、上記に鑑みてなされたものであって、記憶媒体との非接触通信と、記憶媒体の鮮明な撮像とを両立できるアンテナ内蔵型撮像装置を提供することを目的とする。
【課題を解決するための手段】
【０００８】
上述した課題を解決し、目的を達成するために、本発明に係るアンテナ内蔵型撮像装置は、記憶媒体の画像を読み取ることができる画像読取部と、前記画像読取部を支持する金属性の筐体と、前記記憶媒体との間で通信可能なアンテナパターンを有すると共に、前記画像読取部における前記記憶媒体の画像を読み取る側の面の反対側に前記画像読取部の全面を覆って前記筐体に内設されるアンテナと、磁性力を有すると共に、前記アンテナにおける前記画像読取部側の面の反対側に前記画像読取部の全面を覆って前記筐体に内設される磁性体と、を備えることを特徴とする。
【０００９】
この発明では、記憶媒体との間で通信可能なアンテナパターンを有するアンテナを、磁性力を有する磁性体と共に筐体に内設しているので、筐体が金属製である場合でも、記憶媒体との非接触通信を行うことができる。また、これらのアンテナや磁性体は、画像読取部における記憶媒体の画像を読み取る側の面の反対側に画像読取部の全面を覆って配設されるため、アンテナ等を設ける場合における画像読取部の歪みを抑制することができる。このため、記憶媒体等の原稿を撮像する際に、画像読取部の条件を画像読取部全体で同一の条件にして撮像することができるため、鮮明に撮像することができる。この結果、記憶媒体との非接触通信と、記憶媒体の鮮明な撮像とを両立することができる。
【００１０】
また、上記アンテナ内蔵型撮像装置において、前記画像読取部は、前記記憶媒体の画像を読み取る側の面の反対側に前記記憶媒体を照射する照射光を発光するバックライトが配設されていることが好ましい。
【００１１】
この発明では、画像読取部の、記憶媒体の画像を読み取る側の面の反対側にバックライトが配設されており、アンテナや磁性体は、このバックライト側に画像読取部の全面を覆って配設されるため、アンテナ等を設けることに起因してバックライトで発生する光量が変化することを抑制することができる。これにより、光量の変化に起因して、撮像した画像の明るさが場所に応じて異なったり、画像が不鮮明になったりすることを抑制することができ、より確実に、記憶媒体等の原稿を鮮明に撮像することができる。この結果、記憶媒体とのより確実な非接触通信を実現する場合における記憶媒体の鮮明な撮像を、より確実に実現することができる。
【００１２】
また、上記アンテナ内蔵型撮像装置において、前記アンテナのアンテナパターンは、前記記憶媒体内のアンテナパターンと正対していることが好ましい。
【００１３】
この発明では、アンテナのアンテナパターンを、記憶媒体内のアンテナパターンと正対して設けているので、記憶媒体の画像を画像読取部で読み取り可能な位置に記憶媒体を載置した状態で、アンテナで発生するほぼ全ての磁束を、記憶媒体を通過させることができる。これにより、記憶媒体の撮像が可能な状態にしつつ、非接触通信を行う際における出力に対する通信の効率を高くすることができるため、撮像と非接触通信とを記憶媒体の同じ載置状態で可能にしつつ、非接触通信時の無駄なエネルギーの消費を最小限に抑えることができる。この結果、より確実に、記憶媒体との非接触通信と、記憶媒体の鮮明な撮像とを両立することができる。
【００１４】
また、上記アンテナ内蔵型撮像装置において、さらに、ヒンジによって相対的に開閉可能に設けられた第１本体部と第２本体部とを有すると共に、前記第１本体部と前記第２本体部とには、双方を閉じた際に互いに対向するそれぞれの面に前記画像読取部が設けられており、前記記憶媒体の画像を読み取る際には、前記第１本体部と前記第２本体部とを閉じることにより前記第１本体部と前記第２本体部との間に前記記憶媒体を挟み込み、双方に設けられた前記画像読取部により前記記憶媒体の両面の画像を読み取ることが可能に設けられていることが好ましい。
【００１５】
この発明では、開閉可能な第１本体部と第２本体部とに画像読取部をそれぞれ設け、記憶媒体の画像を読み取る際には、第１本体部と第２本体部との間に記憶媒体を挟み込んで、記憶媒体の両面から画像を読み取っている。これにより、記憶媒体との間での非接触通信と、記憶媒体の撮像とを同時に行う際に、記憶媒体の両面を同時に撮像することができる。この結果、記憶媒体との間での非接触通信と、記憶媒体の撮像とを同時に行う際の、利便性をより向上させることができる。
【００１６】
また、上記アンテナ内蔵型撮像装置において、前記アンテナは、前記第１本体部と前記第２本体部とのいずれか一方に内設されており、さらに、前記記憶媒体と前記アンテナとの間の通信の制御を行う通信制御部を有しており、前記通信制御部は、前記記憶媒体と前記アンテナとの間の通信を開始する場合には、第１本体部と第２本体部との相対的な位置関係が所定の位置関係であることを検出してから開始することが好ましい。
【００１７】
この発明では、記憶媒体とアンテナとの間の通信を開始する場合には、前記第１本体部と前記第２本体部との相対的な位置関係が所定の位置関係であることを検出してから開始するので、アンテナのインピーダンスを一定の状態にして通信することができる。この結果、記憶媒体との非接触通信を行う際の送信出力の変動や歪みを低減させることができ、良好な通信を行うことができる。
【００１８】
また、上記アンテナ内蔵型撮像装置において、前記第１本体部と前記第２本体部との相対的な位置関係が所定の位置関係ではない場合での通信を行う場合、前記記憶媒体と前記アンテナとの間の通信の制御を行う通信制御部のインピーダンスを、前記アンテナのインピーダンスに整合できるように切り替え、通信を開始することが好ましい。
【００１９】
この発明では、第１本体部と第２本体部との相対的な位置関係が所定の位置関係ではない場合は、インピーダンスを切り替えて通信を開始するので、第１本体部と第２本体部との相対的な位置関係に関わらず、良好な状態で非接触通信を行うことができる。この結果、記憶媒体との間で非接触通信を行う際における使い勝手の向上を図ることができる。
【発明の効果】
【００２０】
本発明に係るアンテナ内蔵型撮像装置は、記憶媒体との非接触通信と、記憶媒体の鮮明な撮像とを両立することができる、という効果を奏する。
【図面の簡単な説明】
【００２１】
【図１】図１は、実施形態に係る薄型スキャナの外観を示す図であり、蓋部を閉じた状態を示す図である。
【図２】図２は、図１に示す薄型スキャナの蓋部を開いた状態を示す図である。
【図３】図３は、図２に示す画像読取部の構成を示す断面図である。
【図４】図４は、ＮＦＣアンテナの搭載状態を示す説明図である。
【図５】図５は、図４のＡ−Ａ矢視図であり、アンテナパターンを示す説明図である。
【図６−１】図６−１は、ＮＦＣアンテナのアンテナパターンとＮＦＣカードのアンテナパターンとのずれについての説明図である。
【図６−２】図６−２は、ＮＦＣアンテナのアンテナパターンとＮＦＣカードのアンテナパターンとのずれについての説明図である。
【図６−３】図６−３は、ＮＦＣアンテナのアンテナパターンとＮＦＣカードのアンテナパターンとのずれについての説明図である。
【図７】図７は、ＮＦＣアンテナのアンテナパターンとＮＦＣカードのアンテナパターンとの相対的な位置に対する磁界強度の説明図である。
【図８−１】図８−１は、ＮＦＣアンテナのアンテナパターンとＮＦＣカードのアンテナパターンとが同サイズの状態を示す説明図である。
【図８−２】図８−２は、ＮＦＣアンテナのアンテナパターンが、ＮＦＣカードのアンテナパターンに対して２倍の大きさの状態を示す説明図である。
【図９】図９は、ＮＦＣアンテナのアンテナパターンとＮＦＣカードのアンテナパターンとの相対的な大きさと磁界強度との関係を示す説明図である。
【図１０】図１０は、図４に示すＮＦＣアンテナの概略図である。
【図１１】図１１は、図１０に示すＮＦＣアンテナを搭載する際における説明図である。
【図１２】図１２は、図１に示す薄型スキャナの構成の概略を示す図である。
【図１３】図１３は、図１２に示すＮＦＣ制御部の説明図である。
【図１４】図１４は、原稿の画像を読み取る場合における説明図である。
【図１５】図１５は、薄型スキャナとＮＦＣカードとの間で通信を行う場合の説明図である。
【図１６】図１６は、ＮＦＣアンテナのインピーダンスのマッチングの説明図である。
【図１７】図１７は、実施形態に係る薄型スキャナでＮＦＣカードの情報を読み取る際の処理手順の概略を示すフロー図である。
【図１８】図１８は、図１に示す薄型スキャナでのＮＦＣアンテナと磁性シートとの配置状態を示す説明図である。
【図１９−１】図１９−１は、ＮＦＣアンテナと磁性シートとを画像読取部の全面に設けない場合におけるバックライトの変形前の説明図である。
【図１９−２】図１９−２は、ＮＦＣアンテナと磁性シートとを画像読取部の全面に設けない場合におけるバックライトの変形後の説明図である。
【図２０】図２０は、ＮＦＣカードの情報を読み取る際の処理手順の変形例を示すフロー図である。
【図２１】図２１は、変形例に係る薄型スキャナの斜視図である。
【図２２】図２２は、変形例に係る薄型スキャナの斜視図である。
【図２３】図２３は、図２１に示す薄型スキャナの構成の概略を示す図である。
【発明を実施するための形態】
【００２２】
以下に、本発明に係るアンテナ内蔵型撮像装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２３】
〔実施形態〕
図１は、実施形態に係る薄型スキャナの外観を示す図であり、蓋部を閉じた状態を示す図である。図２は、図１に示す薄型スキャナの蓋部を開いた状態を示す図である。本発明に係るアンテナ内蔵型撮像装置の一例である実施形態に係る薄型スキャナ１は、共に薄型の略直方体、或いは略板状に形成された第１本体部である蓋部５と第２本体部である本体部６とを有しており、蓋部５と本体部６とは、双方の一辺がヒンジ８によって接続されている。これにより、蓋部５と本体部６とは、相対的に開閉可能に設けられている。また、これらの蓋部５と本体部６は、共に金属製の筐体を有しており、この蓋部５と本体部６とには、画像を読み取る画像読取部１０が設けられている。詳しくは、蓋部５には、蓋部５を閉じた際における本体部６側の面に第１画像読取部１１が設けられ、本体部６には、蓋部５を閉じた際における蓋部５側の面に第２画像読取部１２が設けられている。これらの第１画像読取部１１と第２画像読取部１２とは、蓋部５と本体部６とを閉じた際に、重なり合う位置に配設されている。
【００２４】
また、蓋部５には、第１画像読取部１１が設けられている側の面の反対側の面に、画像表示部１５が設けられている。この画像表示部１５は、液晶パネルによって設けられており、任意の画像が表示可能になっている。また、この画像表示部１５には、表示された画像に応じて当該画像表示部１５を触れることにより入力操作を行うことができる、いわゆるタッチパネルが設けられており、画像表示部１５は、タッチパネル付き液晶パネルになっている。このため、画像表示部１５は、操作入力部としての機能も兼ね備えている。
【００２５】
また、蓋部５や本体部６には、機械式センサや磁気センサ、または光センサ等により、双方の開閉の検出が可能な開閉検出機構（図示省略）が設けられている。
【００２６】
図３は、図２に示す画像読取部の構成を示す断面図である。第１画像読取部１１と第２画像読取部１２との双方の画像読取部１０は、共に図３に示すような同様な構成で設けられている。この画像読取部１０は、バックライト３５と、このバックライト３５上に設けられる透明なガラス基板２１と、ガラス基板２１上に所定の間隔で二次元配列状に複数が配設される受光部である受光素子２５とが、積層されて設けられている。このうち、ガラス基板２１上に配設される受光素子２５は、詳しくはガラス基板２１におけるバックライト３５が位置する側の反対側の面に配設されている。また、バックライト３５は、光源であるＬＥＤ（Ｌｉｇｈｔ  Ｅｍｉｔｔｉｎｇ  Ｄｉｏｄｅ）３８と、このＬＥＤ３８で発した光をガラス基板２１全体に導く導光板３６及び反射板３７と、を備えている。
【００２７】
このように、光源としてＬＥＤ３８が用いられる画像読取部１０では、ＬＥＤ３８をＲ（Ｒｅｄ）、Ｇ（Ｇｒｅｅｎ）、Ｂ（Ｂｌｕｅ）の３色とし、順次発光して画像を読み取り、読み取った画像を合成することでカラー画像を得ることができる。なお、ＬＥＤ３８をＲＧＢ３色にする代わりに、受光素子２５にＲＧＢのカラーフィルターを備えることでも、カラー化が可能になる。
【００２８】
また、バックライト３５が有する光源は、本実施形態に係る薄型スキャナ１ではＬＥＤ３８を用いているが、この光源はＬＥＤ３８以外のものを用いてもよく、例えば、ＣＣＦＬ（Ｃｏｌｄ  Ｃａｔｈｏｄｅ  Ｆｌｕｏｒｅｓｃｅｎｔ  Ｌａｍｐ）等の光源を用いてもよい。
【００２９】
また、バックライト３５は、ガラス基板２１における受光素子２５が位置する側の反対側に設けられているが、このバックライト３５は、ＬＥＤ３８の発光時に、ＬＥＤ３８で発した光を導光板３６と反射板３７とによってガラス基板２１全体に導くことが可能になっており、また、ガラス基板２１は透明な部材により設けられている。これらのため、ＬＥＤ３８の発光時、即ち、バックライト３５の発光時には、バックライト３５からの光はガラス基板２１を透過し、複数の受光素子２５同士の間から、ガラス基板２１においてバックライト３５が位置する側の反対側の方向に照射される。
【００３０】
このように、透明に設けられるガラス基板２１上における複数の受光素子２５同士の間の部分は、バックライト３５の発光時に、この光を用いて、ガラス基板２１においてバックライト３５が位置する側の反対側の方向に発光可能な発光部２６として設けられている。つまり、ガラス基板２１上に配設される受光素子２５同士は離間しているので、発光部２６は、各受光素子２５の周囲にそれぞれ設けられた状態になっている。また、これらのようにガラス基板２１には受光素子２５が設けられていると共に発光部２６も設けられており、このため、受光素子２５を含めたガラス基板２１からなる層は、受光と発光とが可能な受発光層２０として設けられている。
【００３１】
このように設けられる画像読取部１０は、受発光層２０に設けられる受光素子２５で、原稿で反射した光を受光することにより、原稿の画像を読み取ることができるように設けられているため、画像読取部１０で原稿の画像を読み取る場合は、画像読取部１０において受光素子２５が設けられている側の面で読み取る。また、画像読取部１０は、原稿の画像を読み取る側の面の反対側に原稿を照射する照射光を発光するバックライト３５が配設されている。
【００３２】
図４は、ＮＦＣアンテナの搭載状態を示す説明図である。図５は、図４のＡ−Ａ矢視図であり、アンテナパターンを示す説明図である。また、本実施形態に係る薄型スキャナ１は、ＩＣ（Ｉｎｔｅｇｒａｔｅｄ  Ｃｉｒｃｕｉｔ）が組み込まれることにより情報を記憶することができる記憶媒体として設けられ、非接触で情報の読み書きを行うことができるＩＣカードであるＮＦＣ（Ｎｅａｒ  Ｆｉｅｌｄ  Ｃｏｍｍｕｎｉｃａｔｉｏｎ）カードを原稿として当該薄型スキャナ１で画像を読み取る場合に、ＮＦＣカードとの間で通信を行うことができる通信機能を備えている。このため、本実施形態に係る薄型スキャナ１は、ＮＦＣカードとの間で通信可能なアンテナパターン４１を有するアンテナであるＮＦＣアンテナ４０を搭載している。
【００３３】
ＮＦＣアンテナ４０は、プリント板によって設けられており、本体部６に内設されて、バックライト３５の反射板３７側の位置に設けられている。つまり、バックライト３５における受発光層２０が位置する側の反対側に配設されている。このＮＦＣアンテナ４０は、実際にＮＦＣカードとの間で通信可能な部分であるアンテナパターン４１が設けられていない部分にも、樹脂やＦＲ４（Ｆｌａｍｅ  Ｒｅｔａｒｄａｎｔ  Ｔｙｐｅ  ４）などのプリント板を形成する材料が設けられており、プリント板全体で均一な厚さとなって形成されている。
【００３４】
さらに、このＮＦＣアンテナ４０におけるバックライト３５が位置する側の反対側には、磁性材料を含んで形成されることにより磁性力を有し、均一な厚さで形成される磁性体である磁性シート５０がＮＦＣアンテナ４０に沿って配設されている。これらのＮＦＣアンテナ４０と磁性シート５０とは、共にバックライト３５が有する導光板３６や反射板３７以上の大きさで設けられており、少なくとも導光板３６や反射板３７全体をカバーできる大きさで形成されている。つまり、ＮＦＣアンテナ４０は、画像読取部１０におけるＮＦＣカードの画像を読み取る側の面の反対側に画像読取部１０の全面を覆って筐体７に内設されており、磁性シート５０は、ＮＦＣアンテナ４０における画像読取部１０側の面の反対側に画像読取部１０の全面を覆って筐体７に内設されている。このため、バックライト３５における受発光層２０が位置する側の反対側には、ＮＦＣアンテナ４０と磁性シート５０とが、それぞれ均一な厚さでバックライト３５の全体に配設されている。
【００３５】
なお、これらのＮＦＣアンテナ４０と磁性シート５０とは、同じ大きさである必要はなく、双方が共に画像読取部１０の全面を覆うことができる大きさで形成されていれば、ＮＦＣアンテナ４０と磁性シート５０との間では、大きさは異なっていてもよい。
【００３６】
ＮＦＣアンテナ４０は、このようにプリント板により形成されているが、ＮＦＣアンテナ４０のアンテナパターン４１は、原稿として画像を読み取るＮＦＣカード内のアンテナパターンと正対するように設けるのが好ましい。つまり、ＮＦＣカードには、外部の通信機器との送受信を行う際に用いるアンテナが備えられているが、ＮＦＣアンテナ４０のアンテナパターン４１は、このＮＦＣカードのアンテナとほぼ同等のパターンになるように設けるのが好ましい。
【００３７】
また、ここでいう正対とは、同一形状のアンテナを同一座標に重ね合わせることを意味する。このＮＦＣアンテナ４０のアンテナパターン４１と、ＮＦＣカード内のアンテナパターンとの正対についての実測例では、外形寸法に対し、１０％程度の位置ずれがあった場合には、磁界強度の低下も１０％程度になる。
【００３８】
ここで、ＮＦＣアンテナ４０のアンテナパターン４１とＮＦＣカードのアンテナパターンとの相対的な位置と磁界強度との関係を、実測例に基づいて説明する。図６−１〜図６−３は、ＮＦＣアンテナのアンテナパターンとＮＦＣカードのアンテナパターンとのずれについての説明図である。この図６−１〜図６−３は、ＮＦＣアンテナ４０のアンテナパターン４１とＮＦＣカード１００内のアンテナパターン１０１とを同一形状にし、ＮＦＣカード１００外形に対する中心と、ＮＦＣアンテナ４０のアンテナパターン４１の中心とを配置の基準位置として、ＮＦＣカード１００をＮＦＣアンテナ４０のアンテナパターン４１の中心から一定距離ずらし、そのときの磁界強度を測定した際における配置例を示している。このうち、図６−１は、横方向の相対位置が−６．０ｍｍ、縦方向の相対位置が±０．０ｍｍの状態を示している。図６−２は、横方向の相対位置と縦方向の相対位置とが共に±０．０ｍｍの状態を示している。図６−３は、横方向の相対位置が±０．０ｍｍ、縦方向の相対位置が＋±３．５ｍｍの状態を示している。
【００３９】
図７は、ＮＦＣアンテナのアンテナパターンとＮＦＣカードのアンテナパターンとの相対的な位置に対する磁界強度の説明図である。磁界強度は、図７に示すように、相対位置のずれが０ｍｍのときが最も大きくなり、縦方向と横方向とのいずれの方向にずれた場合でも、位置がずれて行くに従い磁界強度は弱くなる。このため、できる限りＮＦＣアンテナ４０のアンテナパターン４１は、ＮＦＣカード１００内のアンテナパターン１０１とずれないように配置するのが望ましい。
【００４０】
図８−１は、ＮＦＣアンテナのアンテナパターンとＮＦＣカードのアンテナパターンとが同サイズの状態を示す説明図である。図８−２は、ＮＦＣアンテナのアンテナパターンが、ＮＦＣカードのアンテナパターンに対して２倍の大きさの状態を示す説明図である。図９は、ＮＦＣアンテナのアンテナパターンとＮＦＣカードのアンテナパターンとの相対的な大きさと磁界強度との関係を示す説明図である。また、アンテナ形状について説明すると、通常、アンテナは大きい方が放射ゲインが大きくなり、大きな電力を放射できる。しかし、これは広範囲に放射されるだけで、ＮＦＣのように近接した場合では、送信側のアンテナが発生した磁束の一部した通らなくなってしまい、磁束強度は反って小さくなる。例えば、図９に示すように、ＮＦＣアンテナ４０のアンテナパターン４１をＮＦＣカード１００のアンテナパターン１０１に対して２倍の大きさにした場合（図８−２）には、ＮＦＣアンテナ４０のアンテナパターン４１とＮＦＣカード１００のアンテナパターン１０１とが同サイズ（図８−１）の場合と比較して、磁界強度は低下する。従って、ＮＦＣアンテナ４０のアンテナパターン４１は、できる限りＮＦＣカード１００内のアンテナパターン１０１と同サイズにすることが望ましい。
【００４１】
ＮＦＣアンテナ４０は、このようにアンテナパターン４１が設けられるが、このＮＦＣアンテナ４０や磁性シート５０等を内設する本体部６には、本実施形態に係る薄型スキャナ１を制御する回路が搭載された主制御基板６０が設けられている。この主制御基板６０は、本体部６の金属製の筐体７の外側に設けられている。また、蓋部５の筐体７も金属製となっているが、磁性シート５０は、この蓋部５にも内設されている（図１５参照）。即ち、蓋部５や本体部６の筐体７は、画像読取部１０を支持していると共に、ＮＦＣアンテナ４０や磁性シート５０を内設している。
【００４２】
図１０は、図４に示すＮＦＣアンテナの概略図である。図１１は、図１０に示すＮＦＣアンテナを搭載する際における説明図である。プリント板により形成されるＮＦＣアンテナ４０は、柔軟な基板である、いわゆるフレキシブル基板として設けられており、基板全体としては略矩形状に形成され、この基板にループアンテナの形態でアンテナパターン４１が設けられている。また、このＮＦＣアンテナ４０は、略矩形状に形成される基板の一部が基板の平面方向に突出することによって形成された接続部４５が設けられており、この接続部４５にもアンテナパターン４１が設けられている。また、接続部４５の端部には、アンテナパターン４１における外部の電気回路との接続部分である接続端子４６が設けられている。
【００４３】
このように設けられるＮＦＣアンテナ４０を本体部６に搭載する場合には、接続部４５を折り返して接続端子４６と主制御基板６０とを接続する。これにより、ＮＦＣアンテナ４０は、主制御基板６０と平行な状態で本体部６に配設される。
【００４４】
図１２は、図１に示す薄型スキャナの構成の概略を示す図である。これらのように設けられる薄型スキャナ１は、主制御基板６０によって制御可能になっている。この主制御基板６０には、処理部、記憶部及び入出力部が設けられており、このうち処理部には、各種の演算処理を行うＣＰＵ（Ｃｅｎｔｒａｌ  Ｐｒｏｃｅｓｓｉｎｇ  Ｕｎｉｔ）７０が設けられている。
【００４５】
また、処理部は、第１画像読取部１１による画像の読み取りの制御を行う第１画像読取部制御部７１と、第１画像読取部１１で読み取った画像を取り込む第１読取画像取込部７２と、第２画像読取部１２による画像の読み取りの制御を行う第２画像読取部制御部７５と、第２画像読取部１２で読み取った画像を取り込む第２読取画像取込部７６と、画像表示部１５での画像表示の制御を行う画像表示制御部８０と、画像表示部１５に対して行われた入力操作を取得する入力操作取得部８１と、開閉検出機構での検出結果に基づいて蓋部５と本体部６との開閉を検出する開閉検出部８５と、ＮＦＣアンテナ４０によるＮＦＣカードとの通信の制御、即ち、ＮＦＣカードとＮＦＣアンテナ４０との間の通信の制御を行う通信制御部であるＮＦＣ制御部９０と、を有している。
【００４６】
図１３は、図１２に示すＮＦＣ制御部の説明図である。ＮＦＣアンテナ４０によるＮＦＣカードとの通信の制御は、ＮＦＣ制御部９０で行うが、このＮＦＣ制御部９０は、ＮＦＣアンテナ４０に接続されてインピーダンスの整合を行うマッチング回路９１と、マッチング回路９１に接続されて送信増幅回路や受信検波回路等により設けられるＲＦ（Ｒａｄｉｏ  Ｆｒｅｑｕｅｎｃｙ）フロントエンド９２と、ＲＦフロントエンド９２に接続されてＮＦＣ通信のプロトコル制御を行うＮＦＣ制御回路９３と、ＮＦＣ制御回路９３に接続されてＮＦＣ通信の全体の制御を行うＮＦＣ主制御回路９４と、を有している。
【００４７】
また、ＮＦＣ主制御回路９４には、開閉検出部８５と、原稿の撮像の開始を行う際の指示の入力を行うスタートボタン８６とが接続されている。なお、このスタートボタン８６は、独立した入力スイッチとして蓋部５や本体部６に設けられていてもよく、または、タッチパネルが設けられることにより操作入力部としての機能も備える画像表示部１５に、スタートボタン８６の機能を含めてもよい。
【００４８】
本実施形態に係る薄型スキャナ１は、以上のごとき構成からなり、以下、その作用について説明する。図１４は、原稿の画像を読み取る場合における説明図である。この薄型スキャナ１は、通常の使用時には、第２画像読取部１２（図２）側を上方に向ける向きで本体部６を下側に位置させ、第２画像読取部１２に対して相対的に開閉可能な蓋部５を、本体部６に対する蓋として使用する。このように設けられる薄型スキャナ１で、原稿としてＮＦＣカード１００の画像を読み取る場合について説明すると、まず蓋部５を開いた状態で、本体部６に設けられる第２画像読取部１２の上にＮＦＣカード１００を置き、この状態でヒンジ８を回動中心として蓋部５を閉じる。これにより、ＮＦＣカード１００は蓋部５と本体部６とで挟み込まれ、第１画像読取部１１（図２）と第２画像読取部１２に挟み込まれた状態になる。即ち、ＮＦＣカード１００の両面に、画像読取部１０（図２）が位置する状態になる。
【００４９】
このように蓋部５と本体部６とを閉じると、開閉検出部８５（図１２）は、双方が閉じた状態であることを検出する。このように、蓋部５と本体部６とが閉じた状態であることを開閉検出部８５で検出すると、自動的に、または、画像表示部１５（図１）への所定の入力操作によって、薄型スキャナ１は、ＮＦＣカード１００の画像を画像読取部１０によって読み取る制御を行う。この画像読取制御を行う場合は、第１画像読取部制御部７１（図１２）で第１画像読取部１１を制御し、第２画像読取部制御部７５（図１２）で第２画像読取部１２を制御する。これにより、画像読取部１０は、画像の読み取りを開始する。
【００５０】
第１画像読取部１１や第２画像読取部１２で読み取ったＮＦＣカード１００の画像は、第１読取画像取込部７２（図１２）や第２読取画像取込部７６（図１２）で取り込み、画像表示制御部８０（図１２）で画像表示部１５を制御することにより、画像表示部１５で表示する。このように、画像表示部１５で表示したＮＦＣカード１００の画像を薄型スキャナ１の使用者が視認し、使用者が任意のタイミングでスタートボタン８６（図１３）への入力操作を行うと、薄型スキャナ１は、第１読取画像取込部７２や第２読取画像取込部７６で取り込んだ画像を記憶部に記憶する。つまり、第１画像読取部１１や第２画像読取部１２で読み取った画像を保存し、これによりＮＦＣカード１００の画像を撮像する。
【００５１】
画像読取部１０でＮＦＣカード１００の画像を読み取る場合について詳しく説明すると、ＮＦＣカード１００の画像を読み取る場合は、ＮＦＣカード１００を画像読取部１０の受発光層２０におけるバックライト３５側の反対側に配置した状態で、画像読取部１０のバックライト３５が有するＬＥＤ３８を発光させる。ＬＥＤ３８で発した光は導光板３６で当該導光板３６全体に導かれ、また、反射板３７が位置している部分では、反射板３７によって反射する。このため、ＬＥＤ３８で発した光は、バックライト３５における反射板３７が位置している側の面の反対側の面から出光し、受発光層２０を照射する。即ち、画像の読み取り時には、ＬＥＤ３８を発光させることにより、バックライト３５で受発光層２０を照射する。
【００５２】
バックライト３５によって受発光層２０を照射した場合、バックライト３５からの光は受発光層２０が有するガラス基板２１を透過し、ガラス基板２１におけるバックライト３５が位置する側の面の反対側の面において、受光素子２５が配設されていない部分である発光部２６からＮＦＣカード１００に向けて出光する。即ち、バックライト３５を発光させた場合には、発光部２６からＮＦＣカード１００に対して照射する。
【００５３】
このように発光部２６から出光してＮＦＣカード１００に到達した光は、ＮＦＣカード１００で反射をするが、その際に、ＮＦＣカード１００の表面の色など表面の状態に応じた反射光となって反射をする。ＮＦＣカード１００で反射した光は受発光層２０の方向に向かって反射し、受発光層２０に向かう。受発光層２０に向かった反射光は、受発光層２０における受光素子２５や発光部２６が位置している側の面から受発光層２０に到達する。これにより、受光素子２５は、ＮＦＣカード１００で反射した反射光を受光する。
【００５４】
ＮＦＣカード１００で反射した反射光は、ＮＦＣカード１００の表面の状態に応じた反射光になっており、受光素子２５は、受光した光に応じて電気信号を発生可能に設けられている。このため、ＮＦＣカード１００で反射した反射光を受光した受光素子２５は、受光した反射光が反射をしたＮＦＣカード１００の表面の状態に応じた電気信号を発生する。このように受光素子２５で発生した電気信号は、第１読取画像取込部７２や第２読取画像取込部７６に伝達され、これらの部分で取り込まれる。
【００５５】
つまり、第１画像読取部１１が有する受光素子２５でＮＦＣカード１００からの反射光を受光することにより発生した電気信号は第１読取画像取込部７２に伝達され、第２画像読取部１２が有する受光素子２５でＮＦＣカード１００からの反射光を受光することにより発生した電気信号は第２読取画像取込部７６に伝達される。第１読取画像取込部７２や第２読取画像取込部７６は、第１画像読取部１１や第２画像読取部１２が有する複数の受光素子２５からの電気信号を取得することにより、ＮＦＣカード１００における第１画像読取部１１や第２画像読取部１２のそれぞれが面している側のＮＦＣカード１００の画像情報を取得する。つまり、ＮＦＣカード１００の一方の面を第１画像読取部１１で読み取り、他方の面を第２画像読取部１２で読み取ることにより、ＮＦＣカード１００の両面を画像読取部１０で読み取る。
【００５６】
図１５は、薄型スキャナとＮＦＣカードとの間で通信を行う場合の説明図である。ＮＦＣカード１００を原稿としてＮＦＣカード１００の画像を撮像する場合には、これらのように画像読取部１０でＮＦＣカード１００の表面の画像を読み取ることにより撮像するが、ＮＦＣカード１００との間で情報の通信を行う場合には、ＮＦＣアンテナ４０を用いてＮＦＣ制御部９０によってＮＦＣカード１００との間で通信を行う。
【００５７】
具体的には、ＮＦＣ制御部９０はＮＦＣアンテナ４０に磁界Ｍを発生させることにより、この磁界Ｍを受けるアンテナパターンを有するＮＦＣカード１００に電力を発生させ、ＮＦＣカード１００内のＩＣチップ（図示省略）を作動させる。ＮＦＣアンテナ４０が発生する磁界Ｍの大きさを変化させることで、ＮＦＣカード１００上のアンテナに発生する電圧が変化する。ＮＦＣカード１００上のＩＣチップは、この電圧変化を検出することでＮＦＣ制御部９０からの情報を受け取る。また、ＮＦＣカード１００上のアンテナ及びＩＣチップは、ＮＦＣ制御部９０に対して負荷となるが、ＩＣチップが負荷をオン・オフすることで、ＮＦＣアンテナ４０に発生する電圧が変化する。ＮＦＣ制御部９０は、この電圧変化を検出することで、ＮＦＣカード１００から情報を受け取る。このようにして、ＮＦＣ制御部９０とＮＦＣカード１００との間で通信を行う。
【００５８】
ここで、蓋部５や本体部６は、筐体７が金属製となっているが、この金属製の筐体７内で磁界Ｍを発生させて通信を行う場合、磁界Ｍによって金属製の筐体７に渦電流が発生し、磁界Ｍの発生を抑制する。このため、この場合は通信ができなくなるが、本実施形態に係る薄型スキャナ１では、金属製の筐体７内に、磁性シート５０が配設されている。この磁性シート５０は、透磁率が高いため、磁束が集中し易くなるので、ＮＦＣアンテナ４０で発生する磁界Ｍの磁束は磁性シート５０を通り、磁束ループを維持することができる。これにより、磁界Ｍを発生させることができるので、ＮＦＣカード１００との間で通信を行うことができる。
【００５９】
薄型スキャナ１とＮＦＣカード１００との間で通信を行う場合には、これらのように磁界Ｍを発生させることにより行うが、次に、ＮＦＣ制御部９０の各部で行われる処理について説明する。例えば、ＮＦＣカード１００からの信号をＮＦＣアンテナ４０で受信する場合について説明すると、ＮＦＣアンテナ４０で信号を受信した場合には、マッチング回路９１で、ＮＦＣアンテナ４０とＲＦフロントエンド９２とのインピーダンスの整合を行う。マッチング回路９１でインピーダンスの整合を行った信号は、ＲＦフロントエンド９２に伝達され、ＲＦフロントエンド９２で受信検波を行う。さらに、この信号はＲＦフロントエンド９２からＮＦＣ制御回路９３に伝達され、ＮＦＣ制御回路９３でＮＦＣ通信のプロトコル制御を行う。即ち、ＲＦフロントエンド９２から伝達された信号に対して所定の変換を行い、ＮＦＣ主制御回路９４に変換後の信号を伝達する。これにより、ＮＦＣカード１００からの信号は、ＮＦＣ主制御回路９４に伝達される。
【００６０】
また、ＮＦＣ制御部９０から送信する場合には、受信時とは反対にＮＦＣ主制御回路９４からＮＦＣ制御回路９３に対して信号を送信し、ＮＦＣ制御回路９３でプロトコル変換した後、変換後の信号をＲＦフロントエンド９２に伝達する。ＲＦフロントエンド９２では、ＮＦＣ制御回路９３から伝達された信号を増幅し、マッチング回路９１に伝達する。マッチング回路９１は、ＲＦフロントエンド９２とＮＦＣアンテナ４０とのインピーダンスの整合を行ってＲＦフロントエンド９２からの信号をＮＦＣアンテナ４０に伝達し、ＮＦＣアンテナ４０からＮＦＣカード１００に対して送信する。薄型スキャナ１とＮＦＣカード１００との間でＮＦＣ通信を行う場合は、これらのようにＮＦＣ制御部９０の各部で各種の処理を行うことにより、情報の通信を行う。
【００６１】
図１６は、ＮＦＣアンテナのインピーダンスのマッチングの説明図である。ここで、ループアンテナのアンテナパターン４１を有するＮＦＣアンテナ４０は、単体のインピーダンス（Ｚ＝Ｒ＋ｊＸ）はコイルと同じで、虚数部（Ｘ）の値がほとんどで、実数部（Ｒ）の値は非常に小さいものとなっている。これを本体部６の筐体７等に近付けると、実数部（Ｒ）の値が非常に大きくなる。また、ＮＦＣ制御部９０の回路側とＮＦＣアンテナ４０とはインピーダンスを整合させる必要があるが、実数部（Ｒ）の値が大きくなり、ＮＦＣアンテナ４０の特性が変化すると整合が取れなくなり、送信出力が大幅に低下したり、出力に大きな歪みが発生したりする。このようなＮＦＣアンテナ４０の特性の変化は、磁性シート５０を設けることにより低減することはできるが、ＮＦＣアンテナ４０単体と比較すると、磁性シート５０を設けた場合でも特性は変化する。
【００６２】
また、本実施形態に係る薄型スキャナ１は、ＮＦＣアンテナ４０を内設する本体部６と蓋部５との開閉が可能に設けられており、蓋部５を開いた状態よりも、蓋部５を閉めた状態の方がＮＦＣアンテナ４０の特性の変化は、さらに大きくなる。例えば、ＮＦＣアンテナ４０の特性の変化は、図１６に示すように、アンテナ単体よりも、金属製の筐体７内に設けた場合は、アンテナインピーダンス（実数部）は大きくなり、このアンテナインピーダンスは、ＮＦＣアンテナ４０を金属製の筐体７内に設けた場合は、蓋部５を開いた状態でも、アンテナ単体よりも大きくなる。また、このようにＮＦＣアンテナ４０を金属製の筐体７内に設け、蓋部５を閉じた状態では、蓋部５を開いた状態よりもアンテナインピーダンスは大きくなる。
【００６３】
また、アンテナインピーダンスは、このように蓋部５の開閉状態により変化するが、蓋部５を開いた状態でインピーダンスの整合調整をした場合、蓋部開き時整合送信出力ＴＯｏｐで示すように、蓋部５を閉じるとアンテナインピーダンスが上昇することにより、整合がずれてしまい、送信出力は大幅に低下する。これに対し、蓋部５を閉じた状態でアンテナインピーダンスの整合調整を行った場合には、蓋部５を閉じた状態が最も通信に適した状態になり、送信出力は必要十分な大きさが確保できる。この整合条件で蓋部５を開けた場合、整合がずれることによる送信出力の低下があるが、第１画像読取部１１の影響が無くなるため、送信出力は大きく見えてしまう。但し、これは整合がずれているため、通信に適した状態では無い。
【００６４】
このため、アンテナインピーダンスの整合は蓋部５を閉じた状態で行い、ＮＦＣ制御部９０でのＮＦＣ通信は、開閉検出部８５で蓋部５の開閉状態を検出し、蓋部５を閉じたことを検出してから、通信を開始する。つまり、開閉検出部８５での検出結果をＮＦＣ主制御回路９４で取得し、蓋部５を閉じたことをＮＦＣ主制御回路９４で検出してから、ＮＦＣ主制御回路９４によってＮＦＣ通信の制御を開始する。このように、ＮＦＣ制御部９０は、ＮＦＣカード１００とＮＦＣアンテナ４０との間の通信を開始する場合には、蓋部５と本体部６との相対的な位置関係が所定の位置関係であることを検出してから開始する。これにより、ＮＦＣ制御部９０側からＮＦＣアンテナ４０を見たときのインピーダンスを一定にする。また、蓋部５を開けた状態での通信も必要な場合には、蓋部５を開けた状態での整合条件も確認しておき、蓋部５を閉めたときの整合条件と切り替えて使用する。
【００６５】
図１７は、実施形態に係る薄型スキャナでＮＦＣカードの情報を読み取る際の処理手順の概略を示すフロー図である。次に、本実施形態に係る薄型スキャナ１でＮＦＣカード１００の情報を読み取る場合の制御方法、即ち、当該薄型スキャナ１でのＮＦＣ通信時の処理手順の概略について説明する。本実施形態に係る薄型スキャナ１でＮＦＣカード１００の情報を読み取る場合、ＮＦＣカード１００の読み取り開始指示をＮＦＣ主制御回路９４によって行う（ステップＳＴ１０１）。次に、蓋部５は閉まっているか否かを判定する（ステップＳＴ１０２）。この判定は、開閉検出部８５での判定結果に応じてＮＦＣ主制御回路９４で判定する。
【００６６】
ＮＦＣ主制御回路９４での判定（ステップＳＴ１０２）により、蓋部５は閉まっていると判定した場合には、ＮＦＣカード１００の情報の読み取りを行う（ステップＳＴ１０３）。このようにＮＦＣカード１００の情報の読み取りを行う場合には、上述したようにＮＦＣ制御部９０の各部で各種の処理を行い、ＮＦＣアンテナ４０とＮＦＣカード１００との間で通信を行うことにより、ＮＦＣカード１００の情報を読み取る。
【００６７】
ＮＦＣカード１００の情報を読み取ったら、次に、画像情報との比較判定を行ったり、読み取った情報を表示したり、情報の読み取り後の各種の処理を実行する（ステップＳＴ１０４）。つまり、ＮＦＣ制御部９０で読み取ったＮＦＣカード１００の情報と、第１読取画像取込部７２や第２読取画像取込部７６で取り込んだ画像情報とを比較して、必要に応じて双方で取得した情報を予め定められた手順で比較したり、画像表示制御部８０で画像表示部１５を制御することによって、ＮＦＣ制御部９０で読み取ったＮＦＣカード１００の情報を画像表示部１５で表示したりする。
【００６８】
これらのように、蓋部５は閉まっていると判定した場合における制御に対し、ＮＦＣ主制御回路９４での判定（ステップＳＴ１０２）により、蓋部５は閉まっていないと判定した場合には、エラーストップを実行し、画像表示部１５でメッセージを表示する（ステップＳＴ１０５）。つまり、蓋部５は閉まっていないと判定した場合には、ＮＦＣ主制御回路９４は、ＮＦＣカード１００の情報を読み取る処理を中止する。また、この場合は、蓋部５は閉まっていないことによるＮＦＣカード１００の情報読み取り中止の情報をＮＦＣ主制御回路９４から画像表示制御部８０に送信し、画像表示制御部８０で画像表示部１５を制御することによって、その旨のメッセージを表示する。
【００６９】
以上の薄型スキャナ１は、ＮＦＣカード１００の画像を読み取ることができる画像読取部１０を設けているため、ＮＦＣカード１００の画像を撮像することができる。また、ＮＦＣカード１００と通信可能なＮＦＣアンテナ４０を設け、さらに、このＮＦＣアンテナ４０における画像読取部１０側の反対側の面に磁性シート５０を配設しているので、これらを金属製の筐体に内設する場合にも、ＮＦＣアンテナ４０で確実に磁界Ｍを発生させることができ、ＮＦＣアンテナ４０とＮＦＣカード１００との間で、より確実に通信を行うことができる。即ち、より確実にＮＦＣカード１００との非接触通信を行うことができる。
【００７０】
また、これらのＮＦＣアンテナ４０や磁性シート５０は、画像読取部１０の全面を覆って設けられている。これにより、画像読取部１０に歪みが発生することを抑制することができる。図１８は、図１に示す薄型スキャナでのＮＦＣアンテナと磁性シートとの配置状態を示す説明図である。図１９−１は、ＮＦＣアンテナと磁性シートとを画像読取部の全面に設けない場合におけるバックライトの変形前の説明図である。図１９−２は、ＮＦＣアンテナと磁性シートとを画像読取部の全面に設けない場合におけるバックライトの変形後の説明図である。つまり、ＮＦＣアンテナ４０は、アンテナパターン４１が設けられていない部分にも樹脂等が設けられることにより、プリント板全体で均一な厚さとなって形成された状態で、画像読取部１０におけるＮＦＣカード１００の画像を読み取る側の面の反対側の全面に設けられている。即ち、ＮＦＣアンテナ４０は、図１８に示すように、厚さが均一な状態で、画像読取部１０におけるバックライト３５が設けられる側の面の全面を覆って配設されている。
【００７１】
また、磁性シート５０も同様に均一の厚さで形成され、ＮＦＣアンテナ４０における画像読取部１０側の面の反対側にＮＦＣアンテナ４０に沿って配設されることにより、画像読取部１０の全面を覆って設けられている。このため、画像読取部１０におけるバックライト３５が設けられる側の面に配設されるＮＦＣアンテナ４０と磁性シート５０とは、少なくとも画像読取部１０を覆う範囲では双方を合わせて均一な厚さで形成されて、画像読取部１０の全面を覆って配設されている。
【００７２】
これにより、ＮＦＣアンテナ４０や磁性シート５０を画像読取部１０に近接させて設けた場合でも、これらから受ける力は画像読取部１０の全面で均一になるため、画像読取部１０におけるＮＦＣアンテナ４０や磁性シート５０が配設される側は、平坦な形状になる。具体的には、画像読取部１０においてＮＦＣアンテナ４０や磁性シート５０が配設される側に位置する反射板３７や導光板３６は、図１８に示すように平坦な形状が維持される。
【００７３】
これに対し、図１９−１に示すように、ＮＦＣアンテナ４０を、アンテナパターン４１の形状とほぼ同じ形状で形成し、さらに、磁性シート５０を、必要最小限の大きさにした場合には、画像読取部１０に歪みが発生する場合がある。つまり、ＮＦＣアンテナ４０と磁性シート５０とを、画像読取部１０の全面を覆わない形状で画像読取部１０に近接させて配設した場合、画像読取部１０には、ＮＦＣアンテナ４０等が設けられている部分のみにＮＦＣアンテナ４０等からの力が作用する場合がある。このため、この場合、ＮＦＣアンテナ４０等が配設される側に位置する反射板３７や導光板３６は、図１９−２に示すように、ＮＦＣアンテナ４０や磁性シート５０が設けられている位置に歪みが発生する場合がある。
【００７４】
このように、画像読取部１０に歪みが発生した場合、ＮＦＣカード１００等の原稿の画像を画像読取部１０で読み取る際に、正確に読み取ることが困難になり、ＮＦＣカード１００の画像を撮像する場合に、歪みが発生したり不鮮明になったりする場合がある。これに対し、均一の厚さで形成されたＮＦＣアンテナ４０や磁性シート５０を画像読取部１０の全面に配設することにより、ＮＦＣアンテナ４０等を設ける場合における画像読取部１０の歪みを抑制することができる。このため、ＮＦＣカード１００等の原稿を撮像する際に、画像読取部１０の条件を画像読取部１０全体で同一の条件にして撮像することができため、鮮明に撮像することができる。これらの結果、ＮＦＣカード１００との非接触通信と、ＮＦＣカード１００の鮮明な撮像とを両立することができる。
【００７５】
また、画像読取部１０には、ＮＦＣカード１００の画像を読み取る側の面の反対側にバックライト３５が配設されているため、ＮＦＣアンテナ４０や磁性シート５０を画像読取部１０の全面に配設することにより、ＮＦＣカード１００をより確実に鮮明に撮像することができる。つまり、バックライト３５の導光板３６や反射板３７に歪みが発生した場合、バックライト３５で発生する光量が変化するが、画像読取部１０で画像を読み取り、電気信号として処理をした場合、この光量の変化が数値として明確に現れる。このため、画像読取部１０で画像を読み取ることによりＮＦＣカード１００等の原稿の画像を撮像する場合、光量の変化に起因して、撮像した画像の明るさが場所に応じて異なったり、画像が不鮮明になったりする場合がある。
【００７６】
これに対し、ＮＦＣアンテナ４０や磁性シート５０を画像読取部１０の全面に配設した場合には、導光板３６や反射板３７の歪みを抑制することができるため、画像読取部１０で画像を読み取って電気信号として処理をした場合でも、光量の変化が現れなくなる。これにより、より確実に、ＮＦＣカード１００等の原稿を鮮明に撮像することができる。この結果、ＮＦＣカード１００とのより確実な非接触通信を実現する場合におけるＮＦＣカード１００の鮮明な撮像を、より確実に実現することができる。
【００７７】
また、ＮＦＣアンテナ４０が設けられ、ＮＦＣカード１００との通信が可能に設けられているので、画像読取部１０で画像を読み取る原稿にＮＦＣカード１００を用いた場合、ＮＦＣカード１００の画像の読み取りと、ＮＦＣカード１００との情報の通信とを同時に行うことができる。これにより、ＮＦＣカード１００の情報の読み取りやＮＦＣカード１００への情報の書き込みと、ＮＦＣカード１００の画像の撮像とを同時に行うことができる。この結果、ＮＦＣカード１００の撮像と通信とを行う際に、別々で行う必要がなくなるので、利便性を向上させることができる。
【００７８】
また、ＮＦＣアンテナ４０のアンテナパターン４１を、ＮＦＣカード１００内のアンテナパターンと正対して設けているので、ＮＦＣカード１００の撮像と、ＮＦＣカード１００との非接触通信とを、より確実に、ＮＦＣカード１００の同じ載置状態で実現することができる。つまり、画像読取部１０で読み取る画像への影響を考慮して、ＮＦＣアンテナ４０のアンテナパターン４１を画像読取部１０の周囲に設けた場合、ＮＦＣアンテナ４０全体が大きくなるため、何も無い空間にも磁界が発生する。このため、ＮＦＣ通信を行う際における出力に対する通信の効率や、ＮＦＣアンテナ４０が大きくなることに起因する空間的な効率が低減する。また、同様に画像読取部１０で読み取る画像への影響を考慮し、ＮＦＣアンテナ４０を小さくして画像読取部１０の側方に設けた場合、ＮＦＣアンテナ４０を設けるためのスペースが必要になり、また、ＮＦＣアンテナ４０を小さくし過ぎると、ＮＦＣアンテナ４０からの送信電力が小さくなってしまう。また、ＮＦＣアンテナ４０を小さくし過ぎた場合には、画像読取部１０で画像の読み取りを行う場合と、ＮＦＣアンテナ４０でＮＦＣ通信を行う場合とで、ＮＦＣカード１００を異なる場所に載置して処理を行う必要が出てくる場合がある。
【００７９】
これに対し、ＮＦＣアンテナ４０のアンテナパターン４１を、ＮＦＣカード１００内のアンテナパターンと正対して設けた場合には、ＮＦＣカード１００の画像を画像読取部１０で読み取り可能な位置にＮＦＣカード１００を載置した状態で、ＮＦＣアンテナ４０で発生するほぼ全ての磁束を、ＮＦＣカード１００を通過させることができる。これにより、ＮＦＣカード１００の撮像が可能な状態にしつつ、ＮＦＣ通信を行う際における出力に対する通信の効率を高くすることができるため、撮像と非接触通信とをＮＦＣカード１００の同じ載置状態で可能にしつつ、非接触通信時の無駄なエネルギーの消費を最小限に抑えることができる。この結果、より確実に、ＮＦＣカード１００との非接触通信と、ＮＦＣカード１００の鮮明な撮像とを両立することができる。
【００８０】
また、開閉可能な蓋部５と本体部６とに画像読取部１０をそれぞれ設け、ＮＦＣカード１００の画像を読み取る際には、蓋部５と本体部６との間にＮＦＣカード１００を挟み込んで、ＮＦＣカード１００の両面から画像を読み取っている。これにより、ＮＦＣカード１００との間での非接触通信と、ＮＦＣカード１００の撮像とを同時に行う際に、ＮＦＣカード１００の両面を同時に撮像することができる。この結果、ＮＦＣカード１００との間での非接触通信と、ＮＦＣカード１００の撮像とを同時に行う際の、利便性をより向上させることができる。
【００８１】
また、ＮＦＣカード１００とＮＦＣアンテナ４０との間の通信を開始する場合には、蓋部５と本体部６との相対的な位置関係が所定の位置関係であることを検出してから開始するので、ＮＦＣアンテナ４０のインピーダンスを一定の状態にして通信することができる。この結果、ＮＦＣカード１００との非接触通信を行う際の送信出力の変動や歪みを低減させることができ、良好な通信を行うことができる。
【００８２】
なお、上述した実施形態に係る薄型スキャナ１では、ＮＦＣ通信を行う際に、ＮＦＣ主制御回路９４での判定（図１７、ステップＳＴ１０２）により蓋部５は閉まっていないと判定した場合には、エラーストップを実行しているが（図１７、ステップＳＴ１０５）、蓋部５は閉まっていないと判定した場合でも、ＮＦＣ通信を実行してもよい。例えば、インピーダンスの切り替え回路を設けて、蓋部５と本体部６との相対的な位置関係が所定の位置関係ではないと判定された場合、即ち、蓋部５が閉まっていないと判定された場合には、インピーダンスを切り替えてＮＦＣ通信を実行してもよい。このように、インピーダンスの切り替えを行う際に用いるインピーダンス切り替え回路（図示省略）は、ＲＦフロントエンド９２やＮＦＣ制御回路９３に設ける。
【００８３】
図２０は、ＮＦＣカードの情報を読み取る際の処理手順の変形例を示すフロー図である。インピーダンスの切り替えを行う場合における処理手順について説明すると、ＮＦＣ主制御回路９４でＮＦＣカード１００の読み取り開始指示を行い（ステップＳＴ１０１）、蓋部５は閉まっているか否かの判定をＮＦＣ主制御回路９４で行った際に（ステップＳＴ１０２）、蓋部５は閉まっていないと判定した場合には、インピーダンスの切り替えを行う（ステップＳＴ１１１）。
【００８４】
この切り替えは、ＮＦＣ主制御回路９４から、ＮＦＣ制御回路９３やＲＦフロントエンド９２などのインピーダンス切り替え回路が設けられる回路に、インピーダンスの切り替えの指示を送信することにより実行する。ＮＦＣ主制御回路９４からインピーダンスの切り替え指示を受けたＮＦＣ制御回路９３やＲＦフロントエンド９２は、蓋部５を開いた状態におけるＮＦＣアンテナ４０のインピーダンスに整合するように、インピーダンスを切り替える。これにより、蓋部５が開いた状態でＮＦＣアンテナ４０とＮＦＣカード１００との間で通信を行うことができるので、ＮＦＣカード１００の情報の読み取りを行い（ステップＳＴ１０３）、画像情報との比較判定を行ったり、読み取った情報を表示したり、情報の読み取り後の各種の処理を実行する（ステップＳＴ１０４）。
【００８５】
これらのように、インピーダンス切り替え回路を設け、蓋部５が開いている場合にはインピーダンスを切り替えることにより、蓋部５に開閉状態に関わらず、良好な状態で非接触通信を行うことができる。この結果、ＮＦＣカード１００との間で非接触通信を行う際における使い勝手の向上を図ることができる。
【００８６】
また、上述した実施形態に係る薄型スキャナ１では、ＮＦＣアンテナ４０は本体部６に内設されているが、ＮＦＣアンテナ４０は蓋部５に内設されていてもよい。ＮＦＣアンテナ４０は、蓋部５と本体部６とのいずれか一方に内設されていればよい。ＮＦＣアンテナ４０が設けられる側に関わらず、ＮＦＣアンテナ４０を磁性シート５０と共に均一な厚さで画像読取部１０の全面を覆って配設することにより、ＮＦＣカード１００との非接触通信と、ＮＦＣカード１００の鮮明な撮像とを両立することができる。
【００８７】
また、上述した実施形態に係る薄型スキャナ１において画像読取部１０で読み取る原稿はＮＦＣカード１００以外のものでもよい。また、画像読取部１０でＮＦＣカード１００の画像を読み取る場合でも、ＮＦＣアンテナ４０とＮＦＣカード１００との間での通信を必ずしも行う必要はなく、ＮＦＣカード１００の撮像のみでもよい。反対に、画像読取部１０でＮＦＣカード１００の画像の読み取りは行わずに、非接触通信のみを行い、ＮＦＣカード１００の情報のみを読み取ってもよい。
【００８８】
また、上述した実施形態に係る薄型スキャナ１は、共に画像読取部１０を備える蓋部５と本体部６とを有しており、これらがヒンジ８を介して接続されることにより、ＮＦＣカード１００を蓋部５と本体部６で挟み込んでＮＦＣカード１００の画像を読み取ることができるが、ＮＦＣカード１００を挟み込むように設けられていなくてもよい。図２１、図２２は、変形例に係る薄型スキャナの斜視図である。例えば、薄型スキャナ１３０は、図２１、図２２に示すように、薄型の略直方体、或いは略板状の形状で形成された１つの本体部１３５のみにより設けられ、この本体部１３５の一方の面に画像表示部１５が設けられ、他方の面に画像読取部１０が設けられていてもよい。これらの画像読取部１０及び画像表示部１５の構成や機能は、実施形態に係る薄型スキャナ１に設けられる画像読取部１０及び画像表示部１５と同様な形態となって設けられている。さらに、この薄型スキャナ１３０には、実施形態に係る薄型スキャナ１と同様に、画像読取部１０におけるバックライト３５側の面に画像読取部１０の全面を覆って均一な厚さでＮＦＣアンテナ４０と磁性シート５０とが配設されている。
【００８９】
図２３は、図２１に示す薄型スキャナの構成の概略を示す図である。このように、薄型スキャナ１３０を１つの本体部１３５のみにより形成し、画像読取部１０も１つのみ設ける場合も、薄型スキャナ１３０には、当該薄型スキャナ１３０の各部を制御する主制御基板６０が設けられている。また、主制御基板６０には、処理部、記憶部及び入出力部が設けられ、処理部にはＣＰＵ７０が設けられている。また、処理部は、画像読取部１０による画像の読み取りの制御を行う画像読取部制御部１４１と、画像読取部１０で読み取った画像を取り込む読取画像取込部１４２と、画像表示制御部８０と、入力操作取得部８１と、ＮＦＣ制御部９０と、を有している。
【００９０】
これらのように形成される薄型スキャナ１３０でＮＦＣカード１００の画像を読み取る際には、読み取るＮＦＣカード１００における読み取る側の面に、当該薄型スキャナ１３０の画像読取部１０を対向させる。このようにＮＦＣカード１００に画像読取部１０を対向させた状態で、または、対向させる前に、画像表示部１５に所定の入力操作を行うと、画像読取部制御部１４１で画像読取部１０を制御することにより、画像読取部１０での読み取りを開始する。
【００９１】
画像読取部１０で読み取った画像は読取画像取込部１４２で取り込み、画像表示制御部８０で画像表示部１５を制御することにより、読み取った画像を画像表示部１５で表示する。このように、画像表示部１５で表示した画像を薄型スキャナ１３０の使用者が視認し、スタートボタン８６への入力操作を行うと、薄型スキャナ１３０は、読取画像取込部１４２で取り込んだ画像を記憶部に記憶し、ＮＦＣカード１００の画像を撮像する。
【００９２】
また、ＮＦＣアンテナ４０とＮＦＣカード１００との間でＮＦＣ通信を行う場合には、画像読取部１０でＮＦＣカード１００の画像を読み取る際に自動的に、或いは、使用者の所定の入力操作に応じて、ＮＦＣ制御部９０でＮＦＣ通信の制御を行うことにより、ＮＦＣ通信を行う。この薄型スキャナ１３０では、ＮＦＣアンテナ４０と磁性シート５０とは、画像読取部１０におけるバックライト３５側の面に画像読取部１０の全面を覆って均一な厚さで配設されているため、これらの撮像や通信を行う場合には、ＮＦＣカード１００との非接触通信と、ＮＦＣカード１００の鮮明な撮像とを両立することができる。
【００９３】
また、上述した実施形態に係る薄型スキャナ１では、蓋部５が第１本体部として設けられており、本体部６が第２本体部として設けられているが、第１本体部と第２本体部とは、蓋部５と本体部６と以外により設けられていてもよい。即ち、第１本体部が第２本体部の蓋として設けられている必要はなく、第１本体部と第２本体部との関係は、実施形態に係る薄型スキャナ１の蓋部５と本体部６との関係にとらわれない。
【産業上の利用可能性】
【００９４】
以上のように、本発明に係るアンテナ内蔵型撮像装置は、記憶媒体と非接触通信を行うアンテナ内蔵型撮像装置に有用であり、特に、記憶媒体に近接して撮像可能なアンテナ内蔵型撮像装置に適している。
【符号の説明】
【００９５】
１、１３０  薄型スキャナ
５  蓋部
６、１３５  本体部
７  筐体
１０  画像読取部
３５  バックライト
４０  ＮＦＣアンテナ
４１  アンテナパターン
５０  磁性シート
６０  主制御基板
８５  開閉検出部
９０  ＮＦＣ制御部
９１  マッチング回路
９２  ＲＦフロントエンド
９３  ＮＦＣ制御回路
９４  ＮＦＣ主制御回路
１００  ＮＦＣカード
【図１】
2011193349.tif 000003
【図２】
2011193349.tif 000004
【図３】
2011193349.tif 000005
【図４】
2011193349.tif 000006
【図５】
2011193349.tif 000007
【図６−１】
2011193349.tif 000008
【図６−２】
2011193349.tif 000009
【図６−３】
2011193349.tif 000010
【図７】
2011193349.tif 000011
【図８−１】
2011193349.tif 000012
【図８−２】
2011193349.tif 000013
【図９】
2011193349.tif 000014
【図１０】
2011193349.tif 000015
【図１１】
2011193349.tif 000016
【図１２】
2011193349.tif 000017
【図１３】
2011193349.tif 000018
【図１４】
2011193349.tif 000019
【図１５】
2011193349.tif 000020
【図１６】
2011193349.tif 000021
【図１７】
2011193349.tif 000022
【図１８】
2011193349.tif 000023
【図１９−１】
2011193349.tif 000024
【図１９−２】
2011193349.tif 000025
【図２０】
2011193349.tif 000026
【図２１】
2011193349.tif 000027
【図２２】
2011193349.tif 000028
【図２３】
2011193349.tif 000029